(57)【要約】【課題】  所望信号の真の同期位置を推定して受信信号を正確に復調することができる、無線受信装置、同期位置推定方法、および同期位置推定プログラムを提供する。【解決手段】  無線受信装置の同期処理部３０は、信号長が異なる複数の同期推定区間の各々について、従来の相関法により受信信号と既知信号との相関値を算出し、最高の相関値ピークを与える受信信号点を同期位置と仮定する。同期推定区間ごとに算出された複数の相関値ピークを、対応する同期推定区間の信号長で除して規格化した相関値ピークに換算する。規格化した相関値ピークを相対的に比較し、該ピークが最大となるときの同期推定区間において仮定された同期位置を真の同期位置と推定する。復調・検波処理部４０は、真の同期位置に基づいて、受信信号全体の復調処理を実行する。【選択図】        図４
2005176184.tif 000002
【特許請求の範囲】
【請求項１】
既知の参照信号を含む信号を受信して同期位置を推定する無線受信装置であって、
信号長が互いに異なる複数の信号区間を設定する信号区間設定手段と、
各前記複数の信号区間において、前記受信した信号と前記既知の参照信号との相関値を算出する相関値算出手段と、
前記相関値算出手段によって算出された相関値の最高のピーク値を検出し、前記ピーク値に対応する受信信号点を同期位置と仮定する同期位置仮定手段とを備え、
前記同期位置仮定手段は、前記複数の信号区間のそれぞれについて、前記ピーク値と、前記ピーク値に対応する仮定された同期位置とを検出し、
検出された複数の前記ピーク値の各々を、対応する前記信号区間の信号長で除して、規格化ピーク値を算出する規格化ピーク値算出手段と、
前記複数の信号区間にそれぞれ対応して算出された複数の前記規格化ピーク値から最大値を検出する最大値検出手段と、
前記規格化ピーク値の最大値が得られた前記信号区間における前記仮定された同期位置を真の同期位置と推定する同期位置推定手段とをさらに備える、無線受信装置。
【請求項２】
既知の参照信号を含む信号を受信して同期位置を推定する無線受信装置であって、
信号長が互いに異なる複数の信号区間を順次設定する信号区間設定手段と、
設定された信号区間において、前記受信信号と前記既知の参照信号との相関値を算出する相関値算出手段と、
前記相関値算出手段によって算出された相関値の最高のピーク値を検出し、前記ピーク値に対応する受信信号点を同期位置と仮定する同期位置仮定手段と、
仮定された同期位置について前記受信信号の受信処理を行なう受信処理手段と、
前記受信処理手段による受信処理が成功したか否かを判定する受信判定手段とを備え、
前記信号区間設定手段は、第１の信号区間における受信処理が成功しなかった場合、前記第１の信号区間とは異なる信号長の第２の信号区間を再設定し、
前記受信処理に成功したと判定された前記受信信号に対応する前記仮定された同期位置を真の同期位置と推定する同期位置推定手段をさらに備える、無線受信装置。
【請求項３】
前記受信処理手段は、前記受信信号の復調処理を行ない、
前記受信判定手段は、前記受信処理手段で復調された前記受信信号のエラーの有無によって復調が成功したか否かを判定する、請求項２に記載の無線受信装置。
【請求項４】
前記受信判定手段は、前記受信処理手段で復調された前記受信信号と前記既知の参照信号との比較によりエラーの有無を判定する、請求項３に記載の無線受信装置。
【請求項５】
前記信号区間設定手段は、前記受信判定手段においてエラー有りと判定された場合、前記信号区間を再設定する、請求項４に記載の無線受信装置。
【請求項６】
既知の参照信号を含む信号を受信して同期位置を推定する同期位置推定方法であって、
信号長が互いに異なる複数の信号区間を設定するステップと、
各前記複数の信号区間において、前記受信した信号と前記既知の参照信号との相関値を算出するステップと、
前記算出された相関値の最高のピーク値を検出し、前記ピーク値に対応する受信信号点を同期位置と仮定するステップとを備え、
前記同期位置を仮定するステップは、前記複数の信号区間のそれぞれについて、前記ピーク値と、前記ピーク値に対応する仮定された同期位置とを検出するステップを含み、
検出された複数の前記ピーク値の各々を、対応する前記信号区間の信号長で除して、規格化ピーク値を算出するステップと、
前記複数の信号区間にそれぞれ対応して算出された複数の前記規格化ピーク値から最大値を検出するステップと、
前記規格化ピーク値の最大値が得られた前記信号区間における前記仮定された同期位置を真の同期位置と推定するステップとをさらに備える、同期位置推定方法。
【請求項７】
既知の参照信号を含む信号を受信して同期位置を推定する同期位置推定方法であって、
信号長が互いに異なる複数の信号区間を順次設定するステップと、
設定された信号区間において、前記受信信号と前記既知の参照信号との相関値を算出するステップと、
前記算出された相関値の最高のピーク値を検出し、前記ピーク値に対応する受信信号点を同期位置と仮定するステップと、
仮定された同期位置について前記受信信号の受信処理を行なうステップと、
前記受信処理が成功したか否かを判定するステップとを備え、
前記信号区間を順次設定するステップは、第１の信号区間における受信処理が成功しなかった場合、前記第１の信号区間とは異なる信号長の第２の信号区間を再設定するステップを含み、
前記受信処理に成功したと判定された前記受信信号に対応する前記仮定された同期位置を真の同期位置と推定するステップをさらに備える、同期位置推定方法。
【請求項８】
前記受信処理を行なうステップは、前記受信信号の復調処理を行なうステップを含み、
前記受信処理が成功したか否かを判定するステップは、復調された前記受信信号のエラーの有無によって復調が成功したか否かを判定するステップを含む、請求項７に記載の同期位置推定方法。
【請求項９】
前記受信処理が成功したか否かを判定するステップは、前記復調された前記受信信号と前記既知の参照信号との比較によりエラーの有無を判定するステップを含む、請求項８に記載の同期位置推定方法。
【請求項１０】
前記信号区間を順次設定するステップは、前記受信処理が成功したか否かを判定するステップにおいてエラー有りと判定された場合、前記信号区間を再設定するステップを含む、請求項９に記載の同期位置推定方法。
【請求項１１】
既知の参照信号を含む信号を受信して同期位置を推定する同期位置推定プログラムであって、コンピュータに、
信号長が互いに異なる複数の信号区間を設定するステップと、
各前記複数の信号区間において、前記受信した信号と前記既知の参照信号との相関値を算出するステップと、
前記算出された相関値の最高のピーク値を検出し、前記ピーク値に対応する受信信号点を同期位置と仮定するステップとを実行させ、
前記同期位置を仮定するステップは、前記複数の信号区間のそれぞれについて、前記ピーク値と、前記ピーク値に対応する仮定された同期位置とを検出するステップを含み、
検出された複数の前記ピーク値の各々を、対応する前記信号区間の信号長で除して、規格化ピーク値を算出するステップと、
前記複数の信号区間にそれぞれ対応して算出された複数の前記規格化ピーク値から最大値を検出するステップと、
前記規格化ピーク値の最大値が得られた前記信号区間における前記仮定された同期位置を真の同期位置と推定するステップとをさらにコンピュータに実行させる、同期位置推定プログラム。
【請求項１２】
既知の参照信号を含む信号を受信して同期位置を推定する同期位置推定プログラムであって、コンピュータに、
信号長が互いに異なる複数の信号区間を順次設定するステップと、
設定された信号区間において、前記受信信号と前記既知の参照信号との相関値を算出するステップと、
前記算出された相関値の最高のピーク値を検出し、前記ピーク値に対応する受信信号点を同期位置と仮定するステップと、
仮定された同期位置について前記受信信号の受信処理を行なうステップと、
前記受信処理が成功したか否かを判定するステップとを実行させ、
前記信号区間を順次設定するステップは、第１の信号区間における受信処理が成功しなかった場合、前記第１の信号区間とは異なる信号長の第２の信号区間を再設定するステップを含み、
前記受信処理に成功したと判定された前記受信信号に対応する前記仮定された同期位置を真の同期位置と推定するステップをさらにコンピュータに実行させる、同期位置推定プログラム。
【請求項１３】
前記受信処理を行なうステップは、前記受信信号の復調処理を行なうステップを含み、
前記受信処理が成功したか否かを判定するステップは、復調された前記受信信号のエラーの有無によって復調が成功したか否かを判定するステップを含む、請求項１２に記載の同期位置推定プログラム。
【請求項１４】
前記受信処理が成功したか否かを判定するステップは、前記復調された前記受信信号と前記既知の参照信号との比較によりエラーの有無を判定するステップを含む、請求項１３に記載の同期位置推定プログラム。
【請求項１５】
前記信号区間を順次設定するステップは、前記受信処理が成功したか否かを判定するステップにおいてエラー有りと判定された場合、前記信号区間を再設定するステップを含む、請求項１４に記載の同期位置推定プログラム。
【発明の詳細な説明】
【技術分野】
【０００１】
この発明は、無線受信装置、同期位置推定方法および同期位置推定プログラムに関し、より特定的には、相関同期の手法を用いて受信信号の同期位置を検出するための、無線受信装置、同期位置推定方法および同期位置推定プログラムに関する。
【背景技術】
【０００２】
一般に、無線通信においては、移動体通信システムにおいては、受信側で、送信側とのフレーム同期を確立する必要がある。すなわち、受信側で受信信号の同期位置を見出すことによって受信信号の先頭を特定し、受信信号全体の受信処理（復調）が可能となる。
【０００３】
例えば、近年、急速に加速しつつある移動体通信システム（例えば、Personal Handyphone System：以下、ＰＨＳ）では、基地局（Cell Station：以下、ＣＳ）において移動端末装置（Personal Station：以下、ＰＳ）から受信した信号の同期位置を見つける方法として、いわゆる相関法（または相関同期法）を用いた同期位置推定方法が従来から知られている。
【０００４】
以下に、従来から知られている相関法を用いた同期位置推定方法について、その概略を説明する。
【０００５】
一般にＣＳがＰＳから時分割多重で信号を受信した場合、受信信号のうちの最初の不要部分を除いて絶対時間軸上のどの位置から信号の情報部分が始まるか（ＰＨＳではスタートシンボル：以下、ＳＳ）を特定しなければ、ＣＳは受信信号をデータに復調することができない。このように情報の開始位置を特定すること（ＰＨＳではＳＳの時間位置を特定すること）を一般に同期位置の推定と称する。
【０００６】
このような同期位置の推定方法の１つである相関法では、まず、ＰＳからの受信信号がすべてのユーザに対して共通の既知の参照信号を含むことに鑑み、この参照信号を予めＣＳのメモリに記憶させておく。
【０００７】
なお、参照信号としては、例えばＰＨＳでは、プリアンブルとユニークワードとの組合せが用いられ、プリアンブルは”１００１”の繰り返しのビット列で構成され、ユニークワードはＰＳ側からの送信とＣＳ側からの送信とで異なる所定のビット列で構成される。
【０００８】
そして、ＣＳにおいて、受信信号列のうち、参照信号長に相当する受信信号をずらしながら切出して、メモリに予め記憶されている参照信号との相関値を計算する。計算された相関値がピークとなる時間位置が同期位置として特定される。
【０００９】
この同期位置の特定の経過を、図７のタイミング図を参照して説明する。図７（ａ）は、ＣＳのメモリに記憶されている参照信号ｒ（ｉ）（ｉ＝０〜Ｐ−１）の区間（ここでは、Ｐは参照信号の区間シンボル数）を表わしている。これに対して、図７（ｂ）は、ＣＳがＰＳから連続して受信した受信信号Ｘ（ｉ）を表わしている。
【００１０】
ここで、受信信号Ｘ（ｉ）の開始からｍシンボルの時間差のタイミングで切出した受信信号Ｘ（ｉ＋ｍ）と、参照信号ｒ（ｉ）との参照信号区間長ｐシンボルに相当する期間にわたる相関値ｑ（ｍ）は、次式で与えられる。
【００１１】
【数１】
2005176184.tif 000003
【００１２】
このように、受信信号Ｘ（ｉ）から参照信号ｒ（ｉ）の信号区間長ｐと等しい時間長だけ信号をずらしながら切出し、その切出した受信信号を参照信号と対比した結果、両者が一致すれば双方の信号の相関値が高くなり、一致しなければ低くなる。受信信号Ｘ（ｉ）の時間軸上の信号と参照信号ｒ（ｉ）の固定信号との一致が実現した時間位置において、両者の相関値は鋭くピーク値をとることになる。このときの時間位置を検出することにより、時間軸上の同期位置を特定することが可能になる。
【非特許文献１】西村寿彦，田邊康彦，大鐘武雄，小川恭孝，土井義晴，”ＰＨＳ／ＳＤＭＡ方式を想定した参照信号の同期に関する研究”，信学技報，Vol. RCS99-35，pp.61-66，Jun，1999．
【発明の開示】
【発明が解決しようとする課題】
【００１３】
以上の相関法による同期位置の推定方法では、受信側（ＣＳ）の動作タイミングは、送信側（ＰＳ）と同じ周波数であることを前提としている。しかしながら、実際には、ＣＳの動作タイミングは、装置内部で生成されるクロック信号に基づくため、その精度は個々の装置に固有であり、常に送信側のＰＳと同一の周波数であることは保証されない。
【００１４】
このため、ＰＳとＣＳとの間で周波数偏差（以下、周波数オフセット）が生じると、位相回転のためＣＳ側の受信信号が歪み、相関値ピーク波形がきれいに立たず、なまってしまい、同期位置を特定できなくなる。
【００１５】
図８は、かかる周波数オフセットが生じた状態を模式的に説明するための信号配置図である。
【００１６】
図８を参照して、ＩＱ座標平面には、番号（１）〜（５）の複数の信号点が同心円上に示される。各信号点に付された番号（１）〜（５）は、受信信号の時間的な到来順序を示すものである。それぞれの番号において、白丸で表示された信号点は、本来受信されるべき基準信号の信号点を示す。一方、黒丸で表示された信号点は、周波数オフセットが生じたときに、受信側でサンプリングされる受信信号の信号点である。
【００１７】
図８から明らかなように、周波数オフセットが発生することによって、基準信号と受信信号との位相にずれが生じる。このずれは、番号が大きくなるにつれて大きくなる。このような結果から、サンプリングする信号点の数を増やせば、位相のずれは、後の信号点ほど積み重なって増大することは明らかである。この位相ずれによって、受信信号には歪みが生じることとなり、従来の同期位置推定方法では、正確な同期位置の推定が困難とされてきた。
【００１８】
それゆえに、この発明の目的は、所望信号の真の同期位置を推定して受信信号を正確に復調することができる、無線受信装置、同期位置推定方法、および同期位置推定プログラムを提供することである。
【課題を解決するための手段】
【００１９】
この発明のある局面によれば、既知の参照信号を含む信号を受信して同期位置を推定する無線受信装置であって、信号長が互いに異なる複数の信号区間を設定する信号区間設定手段と、各複数の信号区間において、受信した信号と既知の参照信号との相関値を算出する相関値算出手段と、相関値算出手段によって算出された相関値の最高のピーク値を検出し、ピーク値に対応する受信信号点を同期位置と仮定する同期位置仮定手段とを備える。同期位置仮定手段は、複数の信号区間のそれぞれについて、ピーク値と、ピーク値に対応する仮定された同期位置とを検出する。無線受信装置は、検出された複数のピーク値の各々を、対応する信号区間の信号長で除して、規格化ピーク値を算出する規格化ピーク値算出手段と、複数の信号区間にそれぞれ対応して算出された複数の規格化ピーク値から最大値を検出する最大値検出手段と、規格化ピーク値の最大値が得られた信号区間における仮定された同期位置を真の同期位置と推定する同期位置推定手段とをさらに備える。
【００２０】
この発明の他の局面によれば、既知の参照信号を含む信号を受信して同期位置を推定する無線受信装置であって、信号長が互いに異なる複数の信号区間を順次設定する信号区間設定手段と、設定された信号区間において、受信信号と既知の参照信号との相関値を算出する相関値算出手段と、相関値算出手段によって算出された相関値の最高のピーク値を検出し、ピーク値に対応する受信信号点を同期位置と仮定する同期位置仮定手段と、仮定された同期位置について受信信号の受信処理を行なう受信処理手段と、受信処理手段による受信処理が成功したか否かを判定する受信判定手段とを備える。信号区間設定手段は、第１の信号区間における受信処理が成功しなかった場合、第１の信号区間とは異なる信号長の第２の信号区間を再設定する。無線受信装置は、受信処理に成功したと判定された受信信号に対応する仮定された同期位置を真の同期位置と推定する同期位置推定手段をさらに備える。
【００２１】
好ましくは、受信処理手段は、受信信号の復調処理を行ない、受信判定手段は、受信処理手段で復調された受信信号のエラーの有無によって復調が成功したか否かを判定する。
【００２２】
好ましくは、受信判定手段は、受信処理手段で復調された受信信号と既知の参照信号との比較によりエラーの有無を判定する。
【００２３】
好ましくは、信号区間設定手段は、受信判定手段においてエラー有りと判定された場合、信号区間を再設定する。
【００２４】
この発明の他の局面によれば、既知の参照信号を含む信号を受信して同期位置を推定する同期位置推定方法であって、信号長が互いに異なる複数の信号区間を設定するステップと、各複数の信号区間において、受信した信号と既知の参照信号との相関値を算出するステップと、算出された相関値の最高のピーク値を検出し、ピーク値に対応する受信信号点を同期位置と仮定するステップとを備える。同期位置を仮定するステップは、複数の信号区間のそれぞれについて、ピーク値と、ピーク値に対応する仮定された同期位置とを検出するステップを含む。同期位置推定方法は、検出された複数のピーク値の各々を、対応する信号区間の信号長で除して、規格化ピーク値を算出するステップと、複数の信号区間にそれぞれ対応して算出された複数の規格化ピーク値から最大値を検出するステップと、規格化ピーク値の最大値が得られた信号区間における仮定された同期位置を真の同期位置と推定するステップとをさらに備える。
【００２５】
この発明の他の局面によれば、既知の参照信号を含む信号を受信して同期位置を推定する同期位置推定方法であって、信号長が互いに異なる複数の信号区間を順次設定するステップと、設定された信号区間において、受信信号と既知の参照信号との相関値を算出するステップと、算出された相関値の最高のピーク値を検出し、ピーク値に対応する受信信号点を同期位置と仮定するステップと、仮定された同期位置について受信信号の受信処理を行なうステップと、受信処理が成功したか否かを判定するステップとを備える。信号区間を順次設定するステップは、第１の信号区間における受信処理が成功しなかった場合、第１の信号区間とは異なる信号長の第２の信号区間を再設定するステップを含む。同期位置推定方法は、受信処理に成功したと判定された受信信号に対応する仮定された同期位置を真の同期位置と推定するステップをさらに備える。
【００２６】
好ましくは、受信処理を行なうステップは、受信信号の復調処理を行なうステップを含み、受信処理が成功したか否かを判定するステップは、復調された受信信号のエラーの有無によって復調が成功したか否かを判定するステップを含む。
【００２７】
好ましくは、受信処理が成功したか否かを判定するステップは、復調された受信信号と既知の参照信号との比較によりエラーの有無を判定するステップを含む。
【００２８】
好ましくは、信号区間を順次設定するステップは、受信処理が成功したか否かを判定するステップにおいてエラー有りと判定された場合、信号区間を再設定するステップを含む。
【００２９】
この発明の他の局面によれば、既知の参照信号を含む信号を受信して同期位置を推定する同期位置推定プログラムであって、コンピュータに、信号長が互いに異なる複数の信号区間を設定するステップと、各複数の信号区間において、受信した信号と既知の参照信号との相関値を算出するステップと、算出された相関値の最高のピーク値を検出し、ピーク値に対応する受信信号点を同期位置と仮定するステップとを実行させる。同期位置を仮定するステップは、複数の信号区間のそれぞれについて、ピーク値と、ピーク値に対応する仮定された同期位置とを検出するステップを含む。同期位置推定プログラムは、検出された複数のピーク値の各々を、対応する信号区間の信号長で除して、規格化ピーク値を算出するステップと、複数の信号区間にそれぞれ対応して算出された複数の規格化ピーク値から最大値を検出するステップと、規格化ピーク値の最大値が得られた信号区間における仮定された同期位置を真の同期位置と推定するステップとをさらにコンピュータに実行させる。
【００３０】
この発明の他の局面によれば、既知の参照信号を含む信号を受信して同期位置を推定する同期位置推定プログラムであって、コンピュータに、信号長が互いに異なる複数の信号区間を順次設定するステップと、設定された信号区間において、受信信号と既知の参照信号との相関値を算出するステップと、算出された相関値の最高のピーク値を検出し、ピーク値に対応する受信信号点を同期位置と仮定するステップと、仮定された同期位置について受信信号の受信処理を行なうステップと、受信処理が成功したか否かを判定するステップとを実行させる。信号区間を順次設定するステップは、第１の信号区間における受信処理が成功しなかった場合、第１の信号区間とは異なる信号長の第２の信号区間を再設定するステップを含む。同期位置推定プログラムは、受信処理に成功したと判定された受信信号に対応する仮定された同期位置を真の同期位置と推定するステップをさらにコンピュータに実行させる。
【００３１】
好ましくは、受信処理を行なうステップは、受信信号の復調処理を行なうステップを含み、受信処理が成功したか否かを判定するステップは、復調された受信信号のエラーの有無によって復調が成功したか否かを判定するステップを含む。
【００３２】
好ましくは、受信処理が成功したか否かを判定するステップは、復調された受信信号と既知の参照信号との比較によりエラーの有無を判定するステップを含む。
【００３３】
好ましくは、信号区間を順次設定するステップは、受信処理が成功したか否かを判定するステップにおいてエラー有りと判定された場合、信号区間を再設定するステップを含む。
【発明の効果】
【００３４】
以上のように、この発明によれば、相関同期の手法を用いる無線受信装置において、受信状態に応じて同期推定区間を適応的に変化させることにより、同期位置の推定精度を保持することができ、正確な受信信号の復調が可能になる。
【００３５】
また、この発明によれば、複数の同期推定区間の各々における相関値ピークを求め、これらを相対的に比較することにより、最適な同期推定区間において真の同期位置を推定することができる。
【００３６】
さらに、この発明によれば、受信処理にエラーが無くなるまで、同期推定区間の信号長を変えては同期推定処理および受信処理を繰り返すことにより、正確な同期位置の推定が可能となる。
【発明を実施するための最良の形態】
【００３７】
以下、この発明の実施の形態を図面を参照して詳しく説明する。なお、図中同一または相当部分には同一符号を付してその説明は繰り返さない。
【００３８】
［実施の形態１］
最初に、この発明の実施の形態１に従う同期位置推定方法の原理について説明する。以下に示す同期位置推定方法は、従来の相関法を基本的に採用する。
【００３９】
図１は、本実施の形態に従う同期位置推定方法における、参照信号ｒ（ｉ）と受信信号Ｘ（ｉ）との関係を模式的に示すタイミング図である。
【００４０】
通常、受信信号Ｘ（ｉ）は、精度良く取込むために、シンボルの周波数（以下、シンボルレート）よりも高い周波数でサンプリングするオーバーサンプリングが施される。例えば、図１では、シンボル−シンボル間に８個のサンプル数が含まれる８倍オーバーサンプリングとする。
【００４１】
これに対して、参照信号ｒ（ｉ）は、シンボル点（図中の斜線部分に相当）にのみ情報を有し、受信信号Ｘ（ｉ）との関係は図１のようになる。さらに、参照信号ｒ（ｉ）は、プリアンブルの２４ビット（１２シンボル）を最大信号区間長とすることから、同期推定区間、すなわち参照信号区間の信号長ｐは、従来では１２シンボルに固定されていた。
【００４２】
ここで、前述のように、従来の相関法による同期位置推定方法においては、ＣＳとＰＳとの間の周波数オフセットによって、推定誤りが発生するという問題が生じる。これには、同期推定区間が短いほど周波数オフセットの影響が抑えられることから、できるだけ同期推定区間を短縮することが有効であると思われる。
【００４３】
図２は、従来の相関法による同期位置推定方法での推定精度と周波数オフセットとの相関の計算結果である。
【００４４】
図２に示す相関は、周波数オフセットを０ｋＨｚから２ｋＨｚずつ増加させたときの同期位置推定結果の良否をシミュレーションにより求めたものである。図中の○は、推定結果が良、すなわち正しく推定できたことを示す。一方、図中の×は、推定結果が不良、すなわち推定を誤ったことを示す。
【００４５】
ここで、周波数オフセットが０ｋＨｚのときには、受信信号が基準信号に完全に一致していることに相当する。さらに、周波数オフセットが大きくなるほど、図９に示したように両信号の位相ずれは増大する。なお、今回のシミュレーションには、簡単のため、干渉信号やノイズの影響は含まれていない。
【００４６】
図２を参照して、例えば、同期推定区間の信号長ｐが１２シンボルのときにおいては、周波数オフセットが８ｋＨｚ以上となると、同期位置推定に誤りが生じる。同期推定区間の信号長ｐが１０シンボルおよび８シンボルのときも同様に、周波数オフセットが大きいほど、推定を誤り易いことが分かる。
【００４７】
ここで、図２から明らかなように、同期推定区間の信号長ｐを１２シンボルから１０，８，６シンボルと減少させるに従って、周波数オフセットが大きいときの推定誤りが改善されるという結果を得た。この結果は、周波数オフセットによって生じる、基準信号点と受信信号点との位相ずれは、絶対時間軸上において後のシンボルほど大きくなることから、同期推定区間を短縮することによって、受信信号の歪みが抑えられて推定誤りが回避されたものと判断される。
【００４８】
しかしながら、今回のシミュレーションはあくまで干渉信号やノイズを無視して行なったものであり、実測においては、同期推定区間を単純に短くすることによっても、推定精度は必ずしも改善されないという知見を得ている。以下にその理由を説明する。
【００４９】
例えば、他のセル内でそのセルのＣＳと接続している他のＰＳの電波が不要な干渉電波となって、所望のＰＳからの同一周波数を有しかつ同一既知信号を含む信号と重なり合ってＣＳで受信されることがある。このような場合に、上述の相関法による同期位置推定方法では、所望信号だけではなく干渉信号に対しても相関値ピークが現れる。所望信号と干渉信号とが重なって受信された場合、相関値の波形は、双方の信号の受信タイミングの差、受信信号電力の差などによって、全体として相関値ピークの波形がなまったり、所望信号の同期位置（真の同期位置）とは異なる位置に相関値ピークが現れたり、２つのピーク値は現れずにその代わりに本来２つのピーク値が現れるべき２つの同期位置の中間に１つのピーク値だけが現れるような状態が生じうる。
【００５０】
このような場合に、同期推定区間が短ければ、相関値ピークの波形が所望信号を特定できるに足る十分な長さを有しないことから、誤った同期位置を推定する確率が高くなる。
【００５１】
以上の検討の結果から、受信側においては、受信状態によって適応的に同期推定区間を調整すれば、その受信状態に関わらず、高い推定精度の保持が可能になることが予想される。本実施の形態では、信号長が互いに異なる複数の同期推定区間の下で得られた複数の相関値ピークに基づいて最適な同期推定区間を判定し、この同期推定区間において同期位置を推定する方法について提案する。以下において、この方法をピーク判定法による同期位置推定方法とも称する。
【００５２】
ピーク判定法による同期位置推定方法の基本原理を説明にするにあたり、再び、従来の相関法による同期位置推定方法における相関値ｑ（ｍ）を参照する。
【００５３】
【数２】
2005176184.tif 000004
【００５４】
式（２）において、ｐは同期推定区間の信号長（単位シンボル）を表わし、＊は複素共役を表わす。また、受信信号Ｘ（８×ｉ＋ｍ）において、係数”８”は、受信信号がシンボルレートの８倍の周波数でオーバーサンプリングされることを示し、ｍは参照信号との時間差（単位サンプル）を示す。
【００５５】
信号長ｐシンボルの同期推定区間に渡っての相関値の評価式Ｑｐ（ｍ）は、相関値ｑ（ｍ）の２乗をとって、
【００５６】
【数３】
2005176184.tif 000005
【００５７】
となる。ここで、相関値評価式Ｑｐ（ｍ）が最大となるときの時間差ｍを、信号長ｐシンボルの同期推定区間において推定された同期位置Ｍ（ｐ）とする。今、参照信号ｒ（ｉ）の大きさを１とすると、同期位置が正確に推定されたときの相関値評価式Ｑｐ（ｍ）の最大値Ｑｐ＿ｍａｘ（ｍ）は、受信信号の大きさと同期推定区間の信号長ｐシンボルとの積で与えられることとなる。したがって、相関値評価式Ｑｐ（ｍ）の最大値Ｑｐ＿ｍａｘ（ｍ）を信号長ｐシンボルで除算すれば、１シンボル当りの相関値ピークの大きさＶ（ｐ）が導出される。
【００５８】
【数４】
2005176184.tif 000006
【００５９】
以上に示す相関値評価式Ｑｐ（ｍ）の算出を、互いに信号長ｐが異なる複数の同期推定区間のそれぞれについて実行する。さらに、得られた相関値評価式Ｑｐ（ｍ）の最大値Ｑｐ＿ｍａｘ（ｍ）を対応する同期推定区間の信号長ｐで除して、１シンボル当りの相関値ピークの大きさＶ（ｐ）を求める。これにより、各同期推定区間での相関値ピークは、１シンボル当りの相関値ピークＶ（ｐ）に規格化されることから、複数の同期推定区間のあいだで相関値ピークの相対的な評価が可能になる。なお、以下において、１シンボル当りの相関値ピークＶ（ｐ）を規格化ピーク値Ｖ（ｐ）とも称する。
【００６０】
図３は、以上の手順に従い、互いに信号長ｐの異なる複数の同期推定区間においてそれぞれ算出した相関値評価式Ｑｐ（ｍ）、同期位置Ｍ（ｐ）および規格化ピーク値Ｖ（ｐ）の計算結果である。
【００６１】
図３を参照して、同期推定区間の信号長ｐが１２，１０，８，６シンボルのそれぞれについて求めた相関値評価式Ｑｐ（ｍ）の最大値Ｑｐ＿ｍａｘ（ｍ）は、受信信号の大きさ×信号長で表わされることから、信号長が長いほど大きい。また、最大値Ｑｐ＿ｍａｘ（ｍ）を与えるｍの値である同期位置Ｍ（ｐ）は、それぞれ、４０，４１，４１，３８となり、同期推定区間の信号長ｐによってばらつくことが分かる。
【００６２】
ここで、同期位置Ｍ（ｐ）は、同期推定区間の長短に依らず、本来一定値が得られることが理想とされる。これに対して、実際には、同期推定区間が長いときには周波数オフセットの影響を受け、同期推定区間が短いときには干渉信号やノイズの影響を受けることから、必ずしも一致しない。
【００６３】
そこで、複数の同期推定区間のあいだで同期位置の推定精度を相対的に評価するため、それぞれの相関値評価式Ｑｐ（ｍ）の最大値Ｑｐ＿ｍａｘ（ｍ）を対応する同期推定区間の信号長ｐシンボルで除して、１シンボル当りの相関値ピークＶ（ｐ）に規格化する。評価の結果は、図３から明らかなように、同期推定区間の信号長ｐが１０シンボルにおいて、規格化ピーク値Ｖ（ｐ）の最大値１．２を得た。
【００６４】
以上の結果、図３の受信状態においては、同期推定区間は、信号長ｐが１０シンボルのとき、最も推定精度が高く、最適な信号長であると判断される。したがって、受信信号Ｘ（ｉ）の真の同期位置としては、信号長ｐを１０シンボルとしたときの同期位置Ｍ（ｐ）＝４１が採用される。
【００６５】
図４は、本実施の形態の基本原理を実現する無線受信装置（例えばＣＳ）を示す機能ブロック図である。
【００６６】
図４を参照して、図示しない他の無線装置（例えば所望のＰＳ）からの送信信号は、アンテナ１によって受信され、アナログ信号処理部のＲＦ受信回路１０で増幅、周波数変換など必要なアナログ処理が施される。受信信号は、その後Ａ／Ｄ変換器２０によってディジタルのサンプリングデータに変換され、ディジタル信号処理部の同期処理部３０に与えられる。
【００６７】
同期処理部３０は、信号長が異なる複数の同期推定区間のそれぞれについて、相関法により相関値ピークを求め、そのピーク位置に関する情報を保持する。さらに、前述のピーク判定法により、規格化した相関値ピークが最大となる同期推定区間長における同期位置を真の同期位置と推定する。同期位置に関する情報および受信信号のディジタルデータは、復調・検波処理部４０に渡される。
【００６８】
復調・検波処理部４０では、得られた同期位置を基準に、同期推定区間長の受信信号を復調し、その結果をエラー判定部５０に与える。
【００６９】
エラー判定部５０では、復調された同期推定区間長の受信信号と、予め中央制御部６０内に保持されている参照信号とを対比し、一致しているか否か、すなわちエラーが有るか否かを判定し、その結果を中央制御部６０に知らせる。
【００７０】
エラー判定部５０の判定の結果、両信号が一致し、エラーが無いと判定されると、復調・検波処理部４０は、同期位置を真の同期位置とみなして当該同期位置を基準に受信信号全体（１スロット分のデータ）の復調を行ない、その復調出力がエラー判定部５０を介してビット出力として出力される。
【００７１】
図５は、図４の機能ブロック図で示される無線受信装置（ＣＳ）においてソフトウェアで実行される、本実施の形態による同期位置推定方法を示すフロー図である。
【００７２】
図５を参照して、最初に、従来の相関法に基づいて受信信号と所定の参照信号との相関値ピークが計算される。計算の初期条件として、時間差ｍ、同期推定区間長ｐ、変数（ｔｍｐ，ｔｍｐ２）はそれぞれ、Ｍ＿ＳＴＡＲＴ，ｐ＿ｓｔａｒｔ,（０，０）に設定される（ステップＳ０１）。
【００７３】
次に、相関法による相関値ｑ（ｍ）と、相関値評価式Ｑｐ（ｍ）とを前述の式（１）,（２）を用いて導出する（ステップＳ０２）。
【００７４】
ここで、得られた相関値評価式Ｑｐ（ｍ）と変数ｔｍｐとの大小が比較される（ステップＳ０３）。相関評価式Ｑｐ（ｍ）の方が大きいときには、変数ｔｍｐを当該相関評価式Ｑｐ（ｍ）に再設定する。また、このときの時間差ｍを同期位置Ｍ（ｐ）とする（ステップＳ０４）。
【００７５】
次に、時間差ｍが予め設定した所定の値Ｍ＿ＥＮＤより大きいか否かが判定される（ステップＳ０５）。ここで、時間差ｍが所定値Ｍ＿ＥＮＤよりも小さければ、さらに、時間差ｍをｍ＋１にインクリメントして、ステップＳ０２〜Ｓ０４に示す計算を実行する。以上のように、ステップＳ０２〜Ｓ０５に示す一連の動作を繰り返すことによって、受信信号Ｘを所定の範囲（Ｍ＿ＳＴＡＲＴ＜ｍ＜Ｍ＿ＥＮＤ）で１サンプルずつずらしながら切出し、同期位置の推定が実行される。最終的に、ステップＳ０４において、相関評価式Ｑｐ（ｍ）の最大値が変数ｔｍｐとされる。また、最大値が得られたときの時間差ｍがピーク位置として、同期位置Ｍ（ｐ）とされる。
【００７６】
続いて、以上の相関法にて得られた相関評価式Ｑｐ（ｍ）の最大値、すなわち変数ｔｍｐを、新たにＱｐ＿ｍａｘ（ｍ）と定義する。このＱｐ＿ｍａｘ（ｍ）を対応する同期推定区間の信号長ｐシンボルで除算することにより、規格化ピーク値Ｖ（ｐ）を算出する（ステップＳ０７）。
【００７７】
ここで、得られた規格化ピーク値Ｖ（ｐ）と変数ｔｍｐ２との大小を比較する（ステップＳ０８）。
【００７８】
ステップＳ０８において、規格化ピーク値Ｖ（ｐ）が変数ｔｍｐ２よりも大きいときには、変数ｔｍｐ２を該規格化ピーク値Ｖ（ｐ）に再設定する。また、対応する同期位置Ｍ（ｐ）を真の同期位置Ｓｙｎｃ＿ｔｉｍｍｉｎｇと仮定する（ステップＳ０９）。
【００７９】
以上のステップＳ０２〜Ｓ０９に説明した一連の動作は、ある信号長ｐシンボルにおいて、同期位置Ｍ（ｐ）を推定するとともに、規格化ピーク値Ｖ（ｐ）を求めるものである。本動作は、さらに、同期推定区間の信号長ｐを変えながら、信号長ｐが所定値ｐ＿ｅｎｄに至るまで繰り返される。詳細には、同期推定区間の信号長ｐにおける同期位置推定動作が終わると、さらに信号長ｐをｐ＿ｓｔｅｐを加算した値ｐ＋ｐ＿ｓｔｅｐに更新し、かつ変数ｔｍｐを０に初期化して、ステップＳ０２から再度動作を実行する（ステップＳ１１）。
【００８０】
予め設定した同期推定区間の信号長ｐの範囲（ｐ＿ｓｔａｒｔ＜ｐ＜ｐ＿ｅｎｄ）において、以上の動作が終了すると、最終的には、ステップＳ０９に示される変数ｔｍｐ２は、複数の同期推定区間のそれぞれに対応する複数の規格化ピーク値Ｖ（ｐ）の最大値に設定される。同時に、真の同期位置Ｓｙｎｃ＿ｔｉｍｍｉｎｎｇは、該最大値を与える信号長ｐの同期推定区間において得られた同期位置Ｍ（ｐ）に設定されることになる。結果として、このＳｙｎｃ＿ｔｉｍｍｉｎｇを、最適な同期推定区間において得られた真の同期位置と推定することができる（ステップＳ１２）。
【００８１】
以上のように、この発明の実施の形態１によれば、受信状態に応じて最適な同期推定区間に適応的に変化させることにより、高い推定精度を保持することができ、受信信号全体の正確な復調が可能になる。
【００８２】
また、この発明によれば、複数の同期推定区間の各々における相関値ピークを求め、これらを相対的に比較することにより、受信信号に周波数オフセットや干渉成分が含まれる場合においても、最適な同期推定区間において真の同期位置を推定することができる。
【００８３】
［実施の形態２］
前述の実施の形態１では、ピーク判定法による同期位置推定方法について説明した。本実施の形態では、さらに第２の推定方法として、受信信号を複数回処理することによって、正しい同期位置を導き出す方法について提案する。
【００８４】
通常、無線受信装置の処理能力に余裕があれば、受信信号を複数回処理することが可能である。そこで、本実施の形態では、大小様々な信号長を有する複数の同期推定区間を予め用意しておき、それぞれの同期推定区間についての同期位置推定を行なう。このとき、各同期推定区間において得られた同期位置に基づいた受信処理を同時に行なう。受信処理は、同期推定区間に対応して複数回行なわれ、結果として、受信エラーがないときの同期位置を真の同期位置と判定する。
【００８５】
なお、本実施の形態に係る同期位置推定方法を実現する無線受信装置（例えばＣＳ）は、実施の形態１で示した図４の機能ブロック図と同一の構成を有する。よって、本実施の形態に係る無線受信装置の動作については、図４を援用して説明する。
【００８６】
図４を参照して、図示しない他の無線装置（例えば所望のＰＳ）からの送信信号は、アンテナ１によって受信され、アナログ信号処理部のＲＦ受信回路１０で増幅、周波数変換など必要なアナログ処理が施される。受信信号は、その後Ａ／Ｄ変換器２０によってディジタルのサンプリングデータに変換され、ディジタル信号処理部の同期処理部３０に与えられる。
【００８７】
同期処理部３０は、相関同期の手法により、相関値ピークを求め、そのピーク位置に関する情報を中央制御部６０に与える。また、受信信号のディジタルデータは、そのまま復調・検波処理部４０に渡される。
【００８８】
中央制御部６０は、ピーク位置に対応する受信信号点を仮の同期位置と仮定して、同期推定区間内の各サンプル点を順次、復調・検波処理部４０に知らせる。
【００８９】
復調・検波処理部４０では、中央制御部６０から知らされた仮の同期位置を基準に、同期推定区間長の受信信号を復調し、その結果をエラー判定部５０に与える。
【００９０】
エラー判定部５０では、復調された同期推定区間長の受信信号と、予め中央制御部６０内に保持されている参照信号とを対比し、一致しているか否か、すなわちエラーが有るか否かを判定し、その結果を中央制御部６０に知らせる。
【００９１】
エラー判定部５０の判定の結果、両信号が一致し、エラーが無いと判定されると、復調・検波処理部４０は、中央制御部６０の指示により、上記仮の同期位置を真の同期位置とみなして当該同期位置を基準に受信信号全体（１スロット分のデータ）の復調を行ない、その復調出力がエラー判定部５０を介してビット出力として出力される。
【００９２】
一方、エラー判定部５０の判定の結果、両信号が一致せず、エラー有りと判定されると、中央制御部６０は、先の同期推定区間とは信号長が異なる同期推定区間を再設定して、同期処理部３０に与える。
【００９３】
このようにして、無線受信装置は、所定の信号長の同期推定区間において、同期位置の推定と受信処理とを実行してその結果を判定し、エラー判定部５０の判定結果がエラー無しとなるまで、同期推定区間の信号長を順次変えながら、上述の同期位置推定、復調およびエラー判定の処理を繰り返す。
【００９４】
図６は、上述の無線受信装置（ＣＳ）においてソフトウェアで実行される、本実施の形態による同期位置推定方法を示すフロー図である。
【００９５】
図６を参照して、最初に、従来の相関法に基づいて受信信号と所定の参照信号との相関値ピークが計算される。計算の初期条件として、時間差ｍ、同期推定区間長ｐ、変数（ｔｍｐ，ｔｍｐ２）はそれぞれ、Ｍ＿ＳＴＡＲＴ，ｐ＿ｓｔａｒｔ,（０，０）に設定される（ステップＳ２０）。
【００９６】
次に、相関法による相関値ｑ（ｍ）と、相関値評価式Ｑｐ（ｍ）とを前述の式（１）,（２）を用いて導出する（ステップＳ２１）。
【００９７】
ここで、得られた相関値評価式Ｑｐ（ｍ）と変数ｔｍｐとの大小が比較される（ステップＳ２２）。相関評価式Ｑｐ（ｍ）の方が大きいときには、変数ｔｍｐを当該相関評価式Ｑｐ（ｍ）に再設定する。また、このときの時間差ｍを同期位置Ｍ（ｐ）とする（ステップＳ２３）。
【００９８】
次に、時間差ｍが予め設定した所定の値Ｍ＿ＥＮＤより大きいか否かが判定される（ステップＳ２４）。ここで、時間差ｍが所定値Ｍ＿ＥＮＤよりも小さければ、さらに、時間差ｍをｍ＋１にインクリメントして（ステップＳ２５）、ステップＳ２１〜Ｓ２４に示す計算を再実行する。
【００９９】
以上のように、ステップＳ２１〜Ｓ２４に示す一連の動作を繰り返すことによって、受信信号Ｘを所定の範囲（Ｍ＿ＳＴＡＲＴ＜ｍ＜Ｍ＿ＥＮＤ）で１サンプルずつずらしながら切出し、同期位置の推定が実行される。最終的に、ステップＳ２３において、相関評価式Ｑｐ（ｍ）の最大値が変数ｔｍｐとされる。また、最大値が得られたときの時間差ｍがピーク位置として、同期推定区間の信号長ｐシンボルにおける同期位置Ｍ（ｐ）とされる。
【０１００】
次に、以上の相関法によって得られた同期位置Ｍ（ｐ）を用いて、図に示す復調・検波処理部で当該同期推定区間長の受信信号の復調処理を行なう（ステップＳ２６）。
【０１０１】
ステップＳ２６における復調処理の結果がエラー判定部５０に与えられ、復調された同期推定区間長の受信信号と、予め中央制御部６０内に保持されている参照信号とを対比し、一致しているか否か、すなわちエラーが有るか否かが判定される（ステップＳ２７）。
【０１０２】
ここで、エラー判定部５０の判定の結果、両信号が一致し、エラーが無いと判定されると、復調・検波処理部４０は、中央制御部６０の指示により、上記仮の同期位置Ｍ（ｐ）を真の同期位置とみなして当該同期位置を基準に受信信号全体（１スロット分のデータ）の復調を行なう（ステップＳ２９）。
【０１０３】
一方、ステップＳ２７において、エラー有りと判定されたときには、同期推定区間の信号長ｐシンボルをさらにｐ＿ｓｔｅｐだけ増加した信号長ｐ＋ｐ＿ｓｔｅｐに更新して（ステップＳ２８）、再びステップＳ２１〜Ｓ２４の同期位置推定と、新たに得られた同期位置Ｍ（ｐ）を用いた復調処理（ステップＳ２６）とを実行する。
【０１０４】
さらに、新たな同期位置での復調処理についてエラーの有無を判定し、エラーが無ければ、当該同期位置Ｍ（ｐ）を真の同期位置とみなされる。上記の一連の動作は、エラー無しと判定されるまで、同期推定区間の信号長ｐを変化させて繰り返し実行される。
【０１０５】
以上のように、この発明の実施の形態２によれば、同期位置推定および復調処理をエラーが無くなるまで複数回行なうことにより、同期位置を正確に推定することができ、受信信号全体の正確な復調が可能になる。
【０１０６】
なお、上述の実施の形態１，２は、無線受信装置として基地局（ＣＳ）にこの発明を適用した場合について説明したが、この発明は、ＣＳに限らず、相関法により同期位置を推定するすべての無線受信装置に適用される。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０８】
【図１】本実施の形態に従う同期位置推定法における、参照信号ｒ（ｉ）と受信信号Ｘ（ｉ）との関係を模式的に示す図である。
【図２】従来の相関法による同期位置推定方法での推定精度と周波数オフセットとの相関の計算結果である。
【図３】互いに信号長ｐの異なる複数の同期推定区間においてそれぞれ算出した相関値評価式Ｑｐ（ｍ）、同期位置Ｍ（ｐ）および１シンボル当りの相関値ピークＶ（ｐ）の計算結果である。
【図４】本実施の形態の基本原理を実現する無線受信装置（例えばＣＳ）を示す機能ブロック図である。
【図５】図４の機能ブロック図で示される無線受信装置（ＣＳ）においてソフトウェアで実行される、本実施の形態による同期位置推定方法を示すフロー図である。
【図６】無線受信装置（ＣＳ）において、ソフトウェアで実行される、本実施の形態による同期位置推定方法を示すフロー図である。
【図７】同期位置の特定の経過を説明するためのタイミング図である。
【図８】周波数オフセットが生じた状態を模式的に説明するための信号配置図である。
【符号の説明】
【０１０９】
１  アンテナ、１０  ＲＦ受信回路、２０  Ａ／Ｄ変換器、３０  同期処理部、４０  復調・検波処理部、５０  エラー判定部、６０  中央制御部。
【図１】
2005176184.tif 000007
【図２】
2005176184.tif 000008
【図３】
2005176184.tif 000009
【図４】
2005176184.tif 000010
【図５】
2005176184.tif 000011
【図６】
2005176184.tif 000012
【図７】
2005176184.tif 000013
【図８】
2005176184.tif 000014